(57)【要約】【課題】空調服の襟後部と人体の首後部との間に形成される空気排出口の開口度を簡単に調整することができる空気排出口調整機構を提供する。【解決手段】空気排出口調整機構５０は、調整ベルト５１と、二つの貫通孔５２ａ，５２ｂとを備える。調整ベルト５１は、帯状部材５１１の一方の端部に設けられた留め具５１２を有し、帯状部材５１１の他方の端部が空調服１の服地の内表面であって襟後部１２の所定位置に取り付けられる。二つの貫通孔５２ａ，５２ｂは、調整ベルト５１が取り付けられた位置とは異なる襟後部１２の所定位置に形成される。【選択図】図３
2019123987.tif 000002
【特許請求の範囲】
【請求項１】
送風手段を用いて人体との間に形成された空気流通路内に空気を流通させる空調服の襟後部と人体の首後部との間に形成される、前記空気流通路内を流通する空気を外部に排出する空気排出口について、その開口度を調整するための空気排出口調整機構において、
第一取付部を有し、前記空調服の服地の内表面であって前記襟後部又はその周辺の第一の位置に取り付けられた調整ベルトと、
前記調整ベルトが取り付けられた前記第一の位置とは異なる前記襟後部又はその周辺の所定の位置に形成された、前記第一取付部と取り付けが可能となる第二取付部と、
を備え、
前記第一取付部を前記第二取付部に取り付けることで前記空気流通路内を流通する空気の圧力を利用することにより、前記襟後部と人体の首後部との間に前記空気排出口を形成することを特徴とする空気排出口調整機構。
【請求項２】
前記調整ベルトは、前記空調服の服地に着脱自在に取り付けられていることを特徴とする請求項１記載の空気排出口調整機構。
【請求項３】
送風手段を用いて人体との間に形成された空気流通路内に空気を流通させる空調服の襟後部と人体の首後部との間に形成される、前記空気流通路内を流通する空気を外部に排出する空気排出口について、その開口度を調整するための空気排出口調整機構において、
第一取付部を有し、前記空調服の服地の内表面であって前記襟後部又はその周辺の第一の位置に取り付けられた第一調整ベルトと、
前記第一取付部と取り付けが可能となる第二取付部を有し、前記第一調整ベルトが取り付けられた前記第一の位置とは異なる前記襟後部又はその周辺の第二の位置に取り付けられた第二調整ベルトと、
を備え、
前記第一取付部を前記第二取付部に取り付けることで前記空気流通路内を流通する空気の圧力を利用することにより、前記襟後部と人体の首後部との間に前記空気排出口を形成することを特徴とする空気排出口調整機構。
【請求項４】
前記第一調整ベルト及び／又は第二調整ベルトは、前記空調服の服地に着脱自在に取り付けられていることを特徴とする請求項３記載の空気排出口調整機構。
【請求項５】
前記第二取付部は貫通孔であることを特徴とする請求項１、２、３又は４記載の空気排出口調整機構。
【請求項６】
前記第一取付部はボタンであることを特徴とする請求項５記載の空気排出口調整機構。
【請求項７】
前記貫通孔は切り込み線を入れて作製されるボタン孔であることを特徴とする請求項６記載の空気排出口調整機構。
【請求項８】
前記ボタン孔の切り込み方向が前記襟後部の長手方向と略平行になるように前記ボタン孔が形成されていることを特徴とする請求項７記載の空気排出口調整機構。
【請求項９】
請求項１〜８のいずれか一項に記載の空気排出口調整機構を備えた空調服の服本体。
【請求項１０】
請求項１〜８のいずれか一項に記載の空気排出口調整機構を備えた空調服。
【発明の詳細な説明】
【技術分野】
【０００１】
本発明は、空調服の襟後部と人体の首後部との間に形成される、空調服内を流通する空気を外部に排出する空気排出口について、その開口度を調整するための空気排出口調整機構に関するものである。
【背景技術】
【０００２】
近年、送風手段を用いて人体との間に形成された空気流通路内に空気を流通させることにより人体から出た汗を蒸発させる空調服が実用化されている。空調服の原理や構造についての詳しい説明は、例えば特許文献１に詳細に記載されている。図７は空調服における空気の流れを説明するための図、図８は従来の空調服における襟後部と人体の首後部との間に形成される空気排出部を説明するための図である。この空調服１の裾には伸縮性のあるベルトが取り付けられ、空調服１の前側には開閉用のファスナーが設けられている。また、空調服１の下部には二つの送風手段１１，１１が取り付けられている。ここで、送風手段１１としては、プロペラを有するファンが用いられる。
【０００３】
ベルトを締めると共にファスナーを閉じた後、二つの送風手段１１，１１を作動させると、図７に示すように、外気が各送風手段１１から空調服１内に取り込まれる。そして、その取り込まれた外気は、空気流通路内を人体と平行に上方に流通し、空気排出部から排出される。ここで、空気排出部としては、空調服１の襟前部と人体の首前部との間の開口部、空調服１の襟後部１２と人体の首後部との間の開口部、そして、空調服１の袖部と人体の腕部との間の開口部がある。これらの開口部のうち、襟後部１２と首後部との間の開口部は、他の開口部と異なり、明確に形成され、しかも、空気の排出量が最も多いという点で他の開口部に比べて重要なものである。以下では、襟後部１２と首後部との間に形成される開口部を、他の空気排出部と区別するため、「空気排出口」と称することにする。
【０００４】
空調服１内に取り込まれた外気が空気流通路内を流通する間に人体から出た汗を蒸発させ、その蒸発するときの気化熱により体表面の温度を下げることができる。したがって、空調服１がその冷却機能を効率よく作用することができるようにするには、空気流通路内を流通する空気が空気排出部から受ける抵抗を小さくし、大量の空気を人体と平行に流通させる必要がある。また、空調服１の着用者は、使用目的に応じて空調服１の冷却効果を調整したいことがある。このため、従来の空調服１には、各空気排出部の開口度を調整する機構が備わっている。ここで、空気排出部の性質上、各空気排出部の開口度を明確に数値で表すことはできないが、開口度が大きいほど、空気がその空気排出部から受ける抵抗が小さくなり、その空気排出部から排出される空気の量が多くなる。具体的に、空調服１の袖部には、ワイシャツ等の通常の衣服のように、例えば二つのボタンが設けられている。かかるボタンを付けたり外したりすることにより、袖部と腕部との間の空気排出部の開口度を調整することができる。また、ファスナーの位置を調整することにより、襟前部と首前部との間の空気排出部の開口度を容易に調整することができる。この場合、ファスナーを上方に引き上げるほど、襟前部と首前部との間の空気排出の開口度が小さくなる。更に、従来の空調服１には、図８に示すように、襟後部１２と首後部との間隔を広げたり狭めたりするための一組の調整紐２１が設けられている。各調整紐２１の端部は、襟後部１２の内表面に取り付けられている。一組の調整紐２１を結び、その長さを調整することにより、襟後部１２と首後部との間に空気排出口１３を形成すると共に、その空気排出口１３の開口度を調整することができる。
【先行技術文献】
【特許文献】
【０００５】
【特許文献１】特開２００５−５４２９９号公報
【発明の概要】
【発明が解決しようとする課題】
【０００６】
上述のように、従来の空調服１では、襟後部１２と首後部との間の空気排出口１３の開口度を調整する機構として、図８に示すように、一組の調整紐２１を所望の長さになるように結ぶことにより襟後部１２の付近に弛みを設けるものを用いている。しかしながら、実際には、一組の調整紐２１を結んで所望の長さになるようにすることは非常に難しく、ほとんどの着用者は、襟後部１２と首後部との間の空気排出口１３について、その開口度を適正に調整することができず、そのため、空調服１の性能を十分に発揮することが困難であった。
【０００７】
襟後部１２と首後部との間の空気排出口１３の開口度が、送風手段１１から空気流通路内に取り込まれた外気の量に対して小さいと、次のような問題が生じる。すなわち、（１）特に背中に沿って流れる空気の量を十分に確保することができない。（２）背中付近の空気の圧力が高まり、空調服１の服地が膨らんでしまうので、背中付近での空気流通路内において、人体の冷却に寄与しない、人体から離れた部分を流通する空気の割合が多くなる。（３）空調服１の服地が膨らむことにより、着用者は例えば狭い場所で作業するのが困難になる。（４）空調服１の服地が膨らむことにより、空調服１の外観が損なわれる。
【０００８】
一方、襟後部１２と首後部との間の空気排出口１３の開口度が、送風手段１１から空気流通路内に取り込まれた外気の量に対してあまりに大きいと、空気排出口１３が大きすぎて、空調服１の外観を損ねてしまう。しかも、空気排出口１３から排出される空気の量が多くなりすぎるため、他の空気排出部から排出される空気の量が著しく低下し、人体の各部位における冷却効果のバランスが著しく失われてしまう。また、一組の調整紐２１を適正な長さに結んだ場合であっても、一組の調整紐２１はその目的上、ある程度長く形成されているため、その結び目付近に調整紐２１の先端部分が集まり、これが空気排出の障害になっている。
【０００９】
したがって、襟後部１２と首後部との間の空気排出口１３の開口度を簡単に調整することができる新たな空気排出口調整機構の実現が望まれている。かかる新たな空気排出口調整機構は次のような要求を満たす必要がある。すなわち、（１）洗濯に支障がないこと、（２）空気排出口１３を確実に形成することができること、（３）安価に作製することができること、（４）空気排出口１３を形成する必要がないときに使用者の邪魔にならないこと、である。ここで、新たな空気排出口調整機構により襟後部１２と首後部との間に空気排出口１３を形成しなくとも、送風手段１１を作動させると、空気の圧力により襟後部１２と首後部との間に自動的にある程度の開口部が確保されるので、使用目的によっては空気排出口１３を形成しないほうがよい場合もある。
【００１０】
本発明は上記事情に基づいてなされたものであり、空調服の襟後部と人体の首後部との間に形成される空気排出口の開口度を簡単に調整することができる空気排出口調整機構を提供することを目的とするものである。
【課題を解決するための手段】
【００１１】
上記の目的を達成するための第一の発明に係る空気排出口調整機構は、送風手段を用いて人体との間に形成された空気流通路内に空気を流通させる空調服の襟後部と人体の首後部との間に形成される、前記空気流通路内を流通する空気を外部に排出する空気排出口について、その開口度を調整するための空気排出口調整機構において、第一取付部を有し、前記空調服の服地の内表面であって前記襟後部又はその周辺の第一の位置に取り付けられた調整ベルトと、前記調整ベルトが取り付けられた前記第一の位置とは異なる前記襟後部又はその周辺の所定の位置に形成された、前記第一取付部と取り付けが可能となる第二取付部と、を備え、前記第一取付部を前記第二取付部に取り付けることで前記空気流通路内を流通する空気の圧力を利用することにより、前記襟後部と人体の首後部との間に前記空気排出口を形成することを特徴とするものである。
【００１２】
第一の発明に係る空気排出口調整機構では、上記の構成により、第一取付部を第二取付部に取り付けるだけで、空調服の襟後部の付近に弛みを確保して、空気排出口を容易に形成することができる。
【００１３】
また、上記の目的を達成するための第二の発明は、送風手段を用いて人体との間に形成された空気流通路内に空気を流通させる空調服の襟後部と人体の首後部との間に形成される、前記空気流通路内を流通する空気を外部に排出する空気排出口について、その開口度を調整するための空気排出口調整機構において、第一取付部を有し、前記空調服の服地の内表面であって前記襟後部又はその周辺の第一の位置に取り付けられた第一調整ベルトと、前記第一取付部と取り付けが可能となる第二取付部を有し、前記第一調整ベルトが取り付けられた前記第一の位置とは異なる前記襟後部又はその周辺の第二の位置に取り付けられた第二調整ベルトと、を備え、前記第一取付部を前記複数の第二取付部に取り付けることで前記空気流通路内を流通する空気の圧力を利用することにより、前記襟後部と人体の首後部との間に前記空気排出口を形成することを特徴とするものである。
【００１４】
第二の発明に係る空気排出口調整機構では、上記の構成により、第一取付部を第二取付部に取り付けるだけで、空調服の襟後部の付近に弛みを確保して、空気排出口を容易に形成することができる。また、第二取付部を有する第二調整ベルトを備えることにより、第一取付部を第二取付部に取り付けたときに、第一取付部が空調服の内側にとどまり、外部から見えることがないので、外観が損なわれることがない。
【発明の効果】
【００１５】
本発明に係る空気排出口調整機構によれば、空調服の襟後部付近に空気排出口を容易に形成することができると共に、空気排出口の開口度を複数段階に簡単に調整することができる。
【図面の簡単な説明】
【００１６】
【図１】図１は本発明の第一実施形態である空気排出口調整機構を備える空調服の概略正面図である。
【図２】図２（ａ）は第一実施形態の空気排出口調整機構における調整ベルトの概略平面図、図２（ｂ）はその空気排出口調整機構における貫通孔が形成された空調服の襟部の概略展開図、図２（ｃ）はその空気排出口調整機構における調整ベルトが取り付けられた空調服の襟部の概略展開図である。
【図３】図３（ａ）は第一実施形態の空気排出口調整機構により空気排出口が形成された空調服の襟部を上から見たときの状態を示す概略図、図３（ｂ）はその空調服の襟部のＡ−Ａ矢視方向概略断面図、図３（ｃ）はその空調服の襟部における留め具付近の概略拡大図である。
【図４】図４は第二実施形態の空気排出口調整機構を備える空調服を展開して内側から見たときの概略平面図である。
【図５】図５は第二実施形態の空気排出口調整機構における第一調整ベルト及び第二調整ベルトの概略平面図である。
【図６】図６は第二実施形態の空気排出口調整機構により空気排出口が形成された空調服の襟部を上から見たときの状態を示す概略図である。
【図７】図７は空調服における空気の流れを説明するための図である。
【図８】図８は従来の空調服における襟後部と人体の首後部との間に形成される空気排出部を説明するための図である。
【発明を実施するための形態】
【００１７】
以下に、図面を参照して、本願に係る発明を実施するための形態について説明する。
【００１８】
［第一実施形態］
まず、本発明の第一実施形態について図面を参照して説明する。図１は本発明の第一実施形態である空気排出口調整機構を備える空調服の概略正面図である。図２（ａ）は第一実施形態の空気排出口調整機構における調整ベルトの概略平面図、図２（ｂ）はその空気排出口調整機構における貫通孔が形成された空調服の襟部の概略展開図、図２（ｃ）はその空気排出口調整機構における調整ベルトが取り付けられた空調服の襟部の概略展開図である。図３（ａ）は第一実施形態の空気排出口調整機構により空気排出口が形成された空調服の襟部を上から見たときの状態を示す概略図、図３（ｂ）はその空調服の襟部のＡ−Ａ矢視方向概略断面図、図３（ｃ）はその空調服の襟部における留め具付近の概略拡大図である。
【００１９】
第一実施形態の空気排出口調整機構５０は、図１に示すように、空調服１の襟後部１２に設けられており、空調服１の襟後部１２と人体の首後部との間に形成される空気排出口の開口度を調整するためのものである。ここで、空調服１は、送風手段を用いて人体との間に形成された空気流通路内に空気を流通させることにより人体を冷却するものであり、空気排出口は、空気流通路内を流通する空気を外部に排出するものである。また、首後部には、着用者の体形にもよるが、背中の上部も含まれるものとする。尚、第一実施形態では、説明を容易にするため、図１に示すように、空気排出口調整機構５０を備える空調服１が、襟部として、襟を折り返えさない立ち襟部２を有するものである場合について説明する。また、この空調服１の前側には開閉用のファスナー３が設けられている。
【００２０】
第一実施形態の空気排出口調整機構５０は、図２及び図３に示すように、調整ベルト５１と、空調服１の襟後部の所定位置に形成された二つの貫通孔５２ａ，５２ｂとを備える。尚、図２（ｂ），（ｃ）には、空調服１の立ち襟部２について、それを展開して平面状に広げたときの状態であって、着用者の首と対向する立ち襟部２の内表面を上にしたときの状態が示されている。したがって、図２（ｂ），（ｃ）においては立ち襟部２の中央部が空調服１の襟後部１２に対応する。
【００２１】
調整ベルト５１は、図２（ａ）に示すように、帯状部材５１１と、一つの留め具５１２とを有する。留め具５１２は帯状部材５１１の一方の端部に設けられている。第一実施形態では、留め具５１２としてボタンを用いており、このボタン５１２を帯状部材５１１の一方の端部に縫い付けている。実際、留め具５１２としてのボタンは市販されているボタンをそのまま使用することができる。
【００２２】
また、帯状部材５１１の他方の端部は、図２（ｃ）及び図３に示すように、空調服１の服地の内表面であって襟後部１２の所定位置に取り付けるための取付部５１３である。具体的には、帯状部材５１１の取付部５１３を、図２（ｃ）に示すように、空調服１の立ち襟部２の中央から少し右側の部分であってその下部に縫合している。このとき、留め具５１２が立ち襟部２（襟後部１２）の内表面と対向するように調整ベルト５１を配置している。
【００２３】
貫通孔５２ａ，５２ｂは、留め具５１２と係合して留め具５１２であるボタンを取り付けるためのものである。この貫通孔５２ａ，５２ｂは本発明の係合部に該当する。第一実施形態では、貫通孔５２ａ，５２ｂとしては、切り込み線を入れて作製される通常のボタン孔を用いている。したがって、留め具５１２であるボタン及び貫通孔５２ａ，５２ｂであるボタン孔はそれぞれ、例えばワイシャツ等におけるボタン及びボタン孔と同様な形状のものであり、留め具５１２であるボタンと貫通孔５２ａ，５２ｂであるボタン孔との関係は、ワイシャツ等におけるボタンとボタン孔との関係と同様である。二つの貫通孔５２ａ，５２ｂは、調整ベルト５１が取り付けられた位置とは異なる立ち襟部２（襟後部１２）の所定位置に形成される。具体的には、二つの貫通孔５２ａ，５２ｂを、図２（ｂ），（ｃ）に示すように、空調服１の立ち襟部２の中央からやや左側の部分であってその下部に並べて形成している。ここで、貫通孔５２ｂは貫通孔５２ａの左側に形成されている。以下では、貫通孔５２ａを第一貫通孔とも称し、貫通孔５２ｂを第二貫通孔とも称することにする。また、ボタン孔の切り込み方向が立ち襟部２の高さ方向（上下方向）と略平行な方向となるように、各貫通孔５２ａ，５２ｂを形成している。
【００２４】
いま、図２（ｃ）に示すように、帯状部材５１１の取付部５１３から留め具５１２までの調整ベルト５１の長さをＬ２、調整ベルト５１が取り付けられた位置（帯状部材５１１の取付部５１３）から第一貫通孔５２ａまでの立ち襟部２（空調服１の服地）に沿った距離をＬ１ａ、調整ベルト５１が取り付けられた位置（帯状部材５１１の取付部５１３）から第二貫通孔５２ｂまでの立ち襟部２（空調服１の服地）に沿った距離をＬ１ｂとする。このとき、Ｌ１ａ＜Ｌ１ｂであり、且つ、Ｌ１ａ＞Ｌ２である。すなわち、帯状部材５１１の取付部５１３から留め具５１２までの調整ベルト５１の長さＬ２は、調整ベルト５１が取り付けられた位置から各貫通孔５２ａ，５２ｂまでの立ち襟部２（空調服１の服地）に沿った距離Ｌ１ａ，Ｌ１ｂよりも短くなっている。
【００２５】
第一実施形態の空気排出口調整機構５０をこのように構成したことにより、留め具５１２を貫通孔５２ａ，５２ｂのいずれかに通して掛けると、図３に示すように、留め具５１２の内面が当該貫通孔の形成された部分における襟後部１２の外表面に当接し、留め具５１２が襟後部１２にしっかりと固定される。このとき、帯状部材５１１の取付部５１３から留め具５１２までの調整ベルト５１の長さＬ２が、調整ベルト５１が取り付けられた位置から各貫通孔５２ａ，５２ｂまでの立ち襟部２に沿った距離Ｌ１ａ，Ｌ１ｂよりも短いので、空調服１を着用したとき、空調服１の襟後部１２の付近が弛み、襟後部１２と着用者の首後部との間に空気排出口１３を形成することができる。また、調整ベルト５１が取り付けられた位置から第二貫通孔５２ｂまでの立ち襟部２に沿った距離Ｌ１ｂが、調整ベルト５１が取り付けられた位置から第一貫通孔５２ａまでの立ち襟部２に沿った距離Ｌ１ａよりも大きいので、留め具５１２を第二貫通孔５２ｂに取り付けた場合における空気排出口１３の開口度は、留め具５１２を第一貫通孔５２ａに取り付けた場合における空気排出口１３の開口度よりも大きくなる。
【００２６】
具体的に、空調服１の着用者は、空気排出口１３から少量の空気を排出したい場合には、留め具５１２をいずれの貫通孔５２ａ，５２ｂにも取り付けないようにすればよい。このように空気排出口調整機構５０を利用して空気排出口１３を形成しなくとも、空調服１の送風手段１１を作動させると、空気流通路内を流通する空気の圧力により襟後部１２と首後部との間に自動的にある程度の開口部が確保されるので、この開口部が空気排出口１３となって、ここから少量の空気を外部に排出することができる。また、着用者は、空気排出口１３から通常の量の空気を排出したい場合には、留め具５１２を第一貫通孔５２ａに取り付ければよく、空気排出口１３から多量の空気を排出したい場合には、留め具５１２を第二貫通孔５２ｂに取り付ければよい。このように、第一実施形態の空気排出口調整機構５０を用いると、着用者は、空調服１の使用目的に応じて空気排出口１３の開口度を３段階の開口度の中から選択し、所期の冷却効果を得ることができる。
【００２７】
次に、第一実施形態の空気排出口調整機構５０の作製方法について説明する。
まず、空調服１の立ち襟部２の内表面において、調整ベルト５１を取り付ける位置に調整ベルト取付用の罫書き線を描くと共に、各貫通孔５２ａ，５２ｂを形成する位置に各貫通孔作製用の罫書き線を描く。その後、各貫通孔作製用の罫書き線で示された箇所に、通常のボタン孔の形成方法と同様の方法により当該貫通孔を形成する。こうして、図２（ｂ）に示すように、空調服１の立ち襟部２には二つの貫通孔５２ａ，５２ｂが形成される。ここで、図２（ｂ）では、調整ベルト取付用の罫書き線４を破線で示している。
【００２８】
次に、所定長さの帯状部材５１１を用意し、この帯状部材５１１の一方の端部に留め具５１２としてのボタンを取り付ける。これにより、図２（ａ）示すような調整ベルト５１が得られる。また、このとき、帯状部材５１１の取付部５１３から留め具５１２までの調整ベルト５１の長さＬ２が、調整ベルト取付用の罫書き線４から各貫通孔５２ａ，５２ｂまでの立ち襟部２に沿った距離Ｌ１ａ，Ｌ１ｂよりも短くなるように、調整ベルト５１の長さを調整しておく。
【００２９】
その後、留め具５１２が立ち襟部２（空調服１の服地）の内表面と対向するように且つ帯状部材５１１の長手方向が立ち襟部２の長手方向と略平行になるように、調整ベルト５１を配置して、帯状部材５１１の取付部５１３を、立ち襟部２に描いた調整ベルト取付用の罫書き線４で示された箇所に縫合する。こうして、図２（ｃ）に示すように、調整ベルト５１が立ち襟部２の内表面に取り付けられ、空気排出口調整機構５０が完成する。このように第一実施形態の空気排出口調整機構５０は簡単に作製することができる。
【００３０】
第一実施形態の空気排出口調整機構は、帯状部材の一方の端部に設けられた留め具を有し、帯状部材の他方の端部が空調服の服地の内表面であって襟後部の所定位置に取り付けられた調整ベルトと、調整ベルトが取り付けられた位置とは異なる襟後部の所定位置に形成された、留め具と係合して留め具を取り付けるための二つの貫通孔とを備え、帯状部材の上記他方の端部から留め具までの調整ベルトの長さが、調整ベルトが取り付けられた位置から各貫通孔までの空調服の服地に沿った距離よりも短くなっている。これにより、留め具を貫通孔に取り付けるだけで、空調服の襟後部の付近に弛みを確保して、空気排出口を容易に且つ確実に形成することができる。また、留め具をいずれの貫通孔に取り付けるか、若しくは貫通孔に取り付けないかに応じて、空気排出口の開口度を３段階に簡単に調整することができる。尚、第一実施形態の空気排出口調整機構は調整ベルトと二つの貫通孔とを備えて構成されるものであるので、空気排出口を形成する必要がない場合、この空気排出口調整機構が着用者の邪魔になることはない。
【００３１】
また、第一実施形態の空気排出口調整機構では、留め具として市販のボタンを用いたことにより、ボタンが外れて失くしてしまった場合でも、使用者は代替用のボタンを簡単に入手して、ボタンを容易に修繕することができる。しかも、貫通孔は切り込み線を入れて作製されるボタン孔であることにより、通常のボタン孔の形成方法と同様の方法で貫通孔を容易に形成することができる。したがって、第一実施形態の空気排出口調整機構は、簡単に且つ安価に作製することができる。
【００３２】
更に、第一実施形態の空気排出口調整機構では、留め具が空調服の服地の内表面と対向するように調整ベルトに取り付けられていることにより、留め具を貫通孔に取り付けたとき、留め具が直接、人体の皮膚に接触することがないので、着用者には留め具の接触による違和感が生じることはない。
【００３３】
また、第一実施形態の空気排出口調整機構を備える空調服には、従来の空気排出口調整機構である一組の調整紐を備える空調服に比べて、次のような利点がある。従来、一組の調整紐を備える空調服の使用に際して、大半の着用者は、一組の調整紐を結ばず、襟後部と首後部との間に空気排出口を形成していなかった。そして、使用目的に応じて一組の調整紐の長さを調整することも行っていなかった。このため、一組の調整紐を備える空調服は、その性能を十分に発揮することができる状態で使用されていなかった。これに対し、第一実施形態の空気排出口調整機構を備える空調服を、予め留め具を貫通孔に取り付けた状態で出荷することにより、着用者がその空調服を出荷時の状態のまま使用しても、空調服の性能を十分に発揮させることができる。したがって、第一実施形態の空気排出口機構を備える空調服が普及すれば、空調服の性能に関する着用者の評価を大幅に高めることができる。また、第一実施形態の空気排出口調整機構を備える空調服を洗濯する際には、ボタン（留め具）をボタン孔（貫通孔）から外しておくようにする。これにより、洗濯時にボタンに無理な力がかかることがないので、空調服を何ら支障なく洗濯することができる。更に、一組の調整紐を備える空調服では、調整紐の結び目付近に集まった調整紐の先端部分が空気排出の障害になっていたが、第一実施形態の空気排出口調整機構を備える空調服では、調整ベルトに余分な部分がなく、調整ベルトが空気に及ぼす抵抗は非常に小さいので、空気排出口調整機構自体が空気排出の妨げになることはない。
【００３４】
尚、第一実施形態では、立ち襟部を有する空調服に本発明の空気排出口調整機構を適用した場合について説明したが、本発明の空気排出口調整機構を、襟を折り返す襟部を有する空調服に適用するようにしてもよい。この場合、留め具は折り返した襟の部分で覆い隠されるため、外観上の違和感は生じない。
【００３５】
［第二実施形態］
次に、本発明の第二実施形態である空気排出口調整機構について説明する。図４は第二実施形態の空気排出口調整機構を備える空調服を展開して内側から見たときの概略平面図、図５は第二実施形態の空気排出口調整機構における第一調整ベルト及び第二調整ベルトの概略平面図、図６は第二実施形態の空気排出口調整機構により空気排出口が形成された空調服の襟部を上から見たときの状態を示す概略図である。尚、第二実施形態において、第一実施形態のものと同一の機能を有するものには、同一の符号を付すことにより、その詳細な説明を省略する。
【００３６】
第二実施形態の空気排出口調整機構５０ａは、図４に示すように、襟を折り返えすことができる通常の襟部２ａを有する空調服１に設けられる。ここで、図４には、襟部２ａについて、折り返し部分Ｐを折り返さずに広げたときの状態が示されている。また、図６では、襟部２ａについて折り返し部分Ｐを省略して示している。第二実施形態では、空気排出口調整機構５０ａは、襟部２ａの中央部（襟後部１２）ではなく、襟後部１２の周辺の所定箇所、具体的には襟後部１２の少し下側の箇所に設けられる。空調服の形状にもよるが、通常の空調服では、空気流通路内を流通する空気を空気排出口から外部にスムースに排出するには、空気排出口を、襟後部１２に設けるよりも、襟後部１２の少し下側に設ける方が合理的であるからである。
【００３７】
この第二実施形態の空気排出口調整機構５０ａは、図４、図５及び図６に示すように、第一調整ベルト５１ａと、第二調整ベルト５３とを備える。第一調整ベルト５１ａは、図５（ａ）に示すように、第一の帯状部材５１１ａと、第一の帯状部材５１１ａの一方の端部に設けられた一つの留め具５１２とを有するものである。第二実施形態でも、留め具５１２としてボタンを用いる。第一の帯状部材５１１ａの他方の端部は、空調服１の服地の内表面であって襟後部１２の周辺の所定の第一位置に取り付けるための取付部５１３である。ここで、留め具５１２が空調服１の服地の内表面と対向するように且つ第一の帯状部材５１１ａの長手方向が襟部２ａの長手方向と略平行になるように第一調整ベルト５１ａを配置して、第一の帯状部材５１１ａの取付部５１３を上記第一位置に縫合している。
【００３８】
第二調整ベルト５３は、図５（ｂ）に示すように、第二の帯状部材５３１と、第二の帯状部材５３１の一方の端部に形成された、留め具５１２と係合して留め具５１２を取り付けるための一つの貫通孔５３２とを有するものである。第二の帯状部材５３１としては、強度のある布を用いることが望ましい。また、貫通孔５３２は本発明の係合部に該当する。この貫通孔５３２は、切り込み線を入れて作製されるボタン孔である。このボタン孔の切り込み方向は第二の帯状部材５３１の長手方向と略平行な方向である。第二の帯状部材５３１の他方の端部は、空調服１の服地の内表面であって第一調整ベルト５１ａが取り付けられた第一位置とは異なる襟後部１２の周辺の所定の第二位置に取り付けるための取付部５３３である。ここで、第二の帯状部材５３１の長手方向が襟部２ａの長手方向と略平行になるように且つ貫通孔５３２が第一調整ベルト５１ａの側に位置するように第二調整ベルト５３を配置して、第二の帯状部材５３１の取付部５３３を上記第二位置に縫合している。したがって、第二調整ベルト５３を空調服１の服地の内表面に取り付けると、ボタン孔の切り込み方向は襟後部１２の長手方向と略平行になる。
【００３９】
このように、第二実施形態では、貫通孔５３２を空調服１の服地に直接形成するのではなく、空調服１の服地の内表面に第二調整ベルト５３を取り付け、この第二調整ベルト５３に貫通孔５３２を設けている。これは次の理由による。すなわち、空気排出口機構５０ａが設けられる、襟後部１２の少し下側の部位は、襟部２ａと異なり、通常は一枚の布で構成されているので、この部位に貫通孔を直接設けることにすると、当該部位において十分な強度が得られなくなり、しかも、留め具を貫通孔に取り付けたときに留め具が空調服の外側に露出し、外観が損なわれてしまうからである。
【００４０】
いま、第一の帯状部材５１１ａの取付部５１３から留め具５１２までの第一調整ベルト５１ａの長さをＬ３、第二の帯状部材５３１の取付部５３３から貫通孔５３２までの第二調整ベルト５３の長さをＬ４、そして、第一調整ベルト５１ａが取り付けられた第一位置（第一の帯状部材５１１ａの取付部５１３）から第二調整ベルト５３が取り付けられた第二位置（第二の帯状部材５３１の取付部５３３）までの空調服１の服地に沿った距離をＬ５とする。第一調整ベルト５１ａと第二調整ベルト５３の長さ、及び、上記第一位置及び第二位置は、Ｌ３＋Ｌ４＜Ｌ５となるように設計されている。すなわち、第一の帯状部材５１１ａの取付部５１３から留め具５１２までの第一調整ベルト５１ａの長さＬ３と第二の帯状部材５３１の取付部５３３から貫通孔５３２までの第二調整ベルト５３の長さＬ４との合計の長さが、第一調整ベルト５１ａが取り付けられた第一位置から第二調整ベルト５３が取り付けられた第二位置までの空調服１の服地に沿った距離Ｌ５よりも短くなっている。
【００４１】
留め具５１２を貫通孔５３２に通して掛けると、図６に示すように、留め具５１２の内面が貫通孔５３２の形成された部分における第二調整ベルト５３の外表面に当接し、留め具５１２が第二調整ベルト５３にしっかりと固定される。このとき、空調服１の襟後部１２の付近が弛み、襟後部１２と着用者の首後部との間に空気排出口１３が形成される。また、空気排出口１３から少量の空気を排出したい場合には、留め具５１２を貫通孔５３２に取り付けないようにする。この場合には、空気流通路内を流通する空気の圧力により襟後部１２と首後部との間に自動的にある程度の開口部が確保されるので、この開口部が空気排出口１３となって、ここから少量の空気を外部に排出することができる。したがって、第二実施形態の空気排出口調整機構５０ａを用いると、着用者は、空調服１の使用目的に応じて空気排出口１３の開口度を２段階の開口度の中から選択し、所期の冷却効果を得ることができる。
【００４２】
次に、第二実施形態の空気排出口調整機構５０ａの作製方法について説明する。
まず、空調服１の襟部２ａの内表面において、第一調整ベルト５１ａを取り付ける第一位置に第一の罫書き線を描くと共に、第二調整ベルト５３を取り付ける第二位置に第二の罫書き線を描く。次に、第一の帯状部材５１１と第二の帯状部材５３１とを用意し、第一の帯状部材５１１の一方の端部に留め具５１２としてのボタンを取り付け、第二の帯状部材５３１の一方の端部に、通常のボタン孔の形成方法と同様の方法により貫通孔５３２を形成する。ここで、ボタン孔の切り込み方向は、第二の帯状部材５３１の長手方向に略平行な方向とする。
【００４３】
次に、留め具５１２が空調服１の服地の内表面と対向するように且つ第一の帯状部材５１１ａの長手方向が襟部２ａの長手方向と略平行になるように、第一調整ベルト５１ａを配置して、第一の帯状部材５１１ａの取付部５１３を、第一の罫書き線で示された箇所に縫合する。また、第二の帯状部材５３１の長手方向が襟部２ａの長手方向と略平行になるように且つ貫通孔５３２が第一調整ベルト５１ａの側に位置するように、第二調整ベルト５３を配置して、第二の帯状部材５３１の取付部５３３を、第二の罫書き線で示された箇所に縫合する。このようにして、第二実施形態の空気排出口調整機構５０ａは簡単に作製することができる。
【００４４】
第二実施形態の空気排出口調整機構は、第一の帯状部材の一方の端部に設けられた留め具を有し、第一の帯状部材の他方の端部が空調服の服地の内表面であって襟後部の周辺の所定の第一位置に取り付けられた第一調整ベルトと、第二の帯状部材の一方の端部に形成された、留め具と係合して留め具を取り付けるため貫通孔を有し、第二の帯状部材の他方の端部が、空調服の服地の内表面であって第一調整ベルトが取り付けられた第一位置とは異なる襟後部の周辺の所定の第二位置に取り付けられた第二調整ベルトとを備え、第一の帯状部材の上記他方の端部から留め具までの第一調整ベルトの長さと第二の帯状部材の上記他方の端部から貫通孔までの第二調整ベルトの長さとの合計の長さが、第一調整ベルトが取り付けられた第一位置から第二調整ベルトが取り付けられた第二位置までの空調服の服地に沿った距離よりも短くなっている。これにより、留め具を貫通孔に取り付けるだけで、空調服の襟後部の付近に弛みを確保して、空気排出口を容易に且つ確実に形成することができる。また、留め具を貫通孔に取り付けるか、若しくは貫通孔に取り付けないかに応じて、空気排出口の開口度を２段階に簡単に調整することができる。更に、貫通孔を有する第二調整ベルトを備えることにより、留め具を貫通孔に取り付けたときに、留め具が空調服の内側にとどまり、外部から見えることがないので、外観が損なわれることがない。
【００４５】
また、第二実施形態の空気排出口調整機構では、ボタン孔の切り込み方向が襟後部の長手方向と略平行になるようにボタン孔が形成されていることにより、留め具としてボタンを用い、そのボタンをボタン孔に取り付けたときに、第一調整ベルトに引っ張り力が加わったとしても、ボタンがボタン孔から容易に外れてしまうことはない。しかも、第二の帯状部材として強度のある布を用いることにより、ボタンとボタン孔にさまざまな方向から力が加わってもボタン孔が簡単に開いてボタンがボタン孔から外れてしまうということはない。更に、第二実施形態の空気排出口調整機構では、貫通孔を１つしか形成していないが、この場合、貫通孔を、予め空気排出口の開口度が最適になるような位置に設けておけば、着用者は留め具を貫通孔に取り付けるだけで、迷うことなく空気排出口の開口度を最適に調整することができる。尚、その他の効果は上記第一実施形態と同様である。
【００４６】
［他の実施形態］
尚、本発明は上記の各実施形態に限定されるものではなく、その要旨の範囲内において種々の変形が可能である。
【００４７】
例えば、上記の第一実施形態では、空気排出口調整機構を空調服の襟後部に設ける場合について説明したが、この第一実施形態の空気排出口調整機構を空調服の襟後部の周辺に設けるようにしてもよい。また、上記の第二実施形態では、空気排出口調整機構を空調服の襟後部の周辺に設ける場合について説明したが、この第二実施形態の空気排出口調整機構を空調服の襟後部に設けるようにしてもよい。
【００４８】
また、上記の第一実施形態では、貫通孔を空調服の襟後部に二つ設ける場合について説明したが、貫通孔を空調服の襟後部に一つだけ又は三つ以上設けるようにしてもよい。更に、上記の第二実施形態では、貫通孔を第二調整ベルトに一つ設ける場合について説明したが、貫通孔を第二調整ベルトに二つ以上設けるようにしてもよい。貫通孔を多く設けるほど空気排出口の開口度を細かく調整することが可能となる。
【００４９】
また、上記の第一実施形態では、調整ベルトを帯状部材で構成する場合について説明したが、調整ベルトを帯状部材の代わりに紐状部材で構成するようにしてもよい。同様に、上記の第二実施形態では、第一調整ベルト及び第二調整ベルトをそれぞれ帯状部材で構成する場合について説明したが、第一調整ベルトを紐状部材で構成するようにしてもよく、また、第二調整ベルトを紐状部材で構成するようにしてもよい。更に、上記の第二実施形態において、空調服の構造上、襟部の周囲には布がある場合があり、この場合、第二調整ベルトとしてはこの布を使用することも可能である。
【００５０】
更に、上記の各実施形態では、留め具としてボタンを用い、貫通孔（係合部）としてボタン孔を用いる場合について説明したが、本発明はこれに限定されるものではなく、留め具として専用のものを使用してもよい。この場合、係合部としては、その専用の留め具に対応したものを用いることにより、留め具を係合部に取り付ける際の利便性がさらに向上する。例えば、留め具及び係合部としては、面状ファスナーを用いてもよいし、或いは、金属製又は樹脂製の各種ホックやフックを用いてもよい。
【００５１】
加えて、上記の第一実施形態において、帯状部材における留め具が設けられた端部と反対側の端部を、空調服の服地に着脱自在に取り付けるようにしてもよい。同様に、上記の第二実施形態において、第一の帯状部材における留め具が設けられた端部と反対側の端部を、空調服の服地に着脱自在に取り付けるようにしてもよく、また、第二の帯状部材における貫通孔が形成された端部と反対側の端部を、空調服の服地に着脱自在に取り付けるようにしてもよい。これにより、空気排出口調整機構を空調服から取り外すことができるので、空調服及び空気排出口調整機構を何ら支障なく洗濯することができる。また、空気排出口調整機構が壊れたときに、新しい空気排出機構部に容易に交換することができる。
【産業上の利用可能性】
【００５２】
以上説明したように、本発明の空気排出口調整機構では、空調服の襟後部付近に空気排出口を容易に形成することができると共に、空気排出口の開口度を複数段階に簡単に調整することができる。したがって、本発明は、空調服の襟後部付近に形成される空気排出口の開口度を調整する機構として使用するのに好適である。
【符号の説明】
【００５３】
１  空調服
２  立ち襟部
２ａ  襟部
３  ファスナー
４  調整ベルト取付用の罫書き線
１１  送風手段
１２  襟後部
１３  空気排出口
２１  一組の調整紐
５０，５０ａ  空気排出口調整機構
５１  調整ベルト
５１ａ  第一調整ベルト
５１１  帯状部材
５１１ａ  第一の帯状部材
５１２  留め具（第一取付部）
５１３  取付部
５２ａ  第一貫通孔（係合部、第二取付部）
５２ｂ  第二貫通孔（係合部、第二取付部）
５３  第二調整ベルト
５３１  第二の帯状部材
５３２  貫通孔（係合部、第二取付部）
５３３  取付部
Ｌ１ａ  調整ベルトの取付位置から第一貫通孔までの空調服の服地に沿った距離
Ｌ１ｂ  調整ベルトの取付位置から第二貫通孔までの空調服の服地に沿った距離
Ｌ２  帯状部材の取付部から留め具までの調整ベルトの長さ
Ｌ３  第一の帯状部材の取付部から留め具までの第一調整ベルトの長さ
Ｌ４  第二の帯状部材の取付部から貫通孔までの第二調整ベルトの長さ
Ｌ５  第一調整ベルトの取付位置から第二調整ベルトの取付位置までの空調服の服地に沿
った距離
【図１】
2019123987.tif 000003
【図２】
2019123987.tif 000004
【図３】
2019123987.tif 000005
【図４】
2019123987.tif 000006
【図５】
2019123987.tif 000007
【図６】
2019123987.tif 000008
【図７】
2019123987.tif 000009
【図８】
2019123987.tif 000010